(57)【要約】【課題】簡易な構成で、汚染しても簡便に復元可能なタックシールラベラ用のローラを提供する。【解決手段】ロール状に巻かれた剥離紙４を巻き出して剥離紙４に支持されたタックシール２を容器３に貼付するタックシールラベラ１に設けられ、タックシール２が貼付された後の剥離紙４を巻き掛けてガイドするガイドローラ１６ａ〜１６ｇであって、ガイドローラ１６ａ〜１６ｇのガイド面Ａには、剥離紙４が巻き掛けられる領域Ｂを保護する保護部材２１が設けられ、保護部材２１は、一方の面に粘着剤が付着されたシート状で、領域Ｂに粘着剤を介して巻き付けられている。【選択図】図２
2010143607.tif 000002
【特許請求の範囲】
【請求項１】
ロール状に巻かれた剥離紙を巻き出して前記剥離紙に支持されたタックシールを容器に貼付するタックシールラベラに設けられ、前記タックシールが貼付された後の剥離紙を巻き掛けてガイドするタックシールラベラ用のローラであって、
前記ローラのガイド面には、前記剥離紙が巻き掛けられる領域を保護する保護部材が設けられ、前記保護部材は、一方の面に粘着剤が付着されたシート状で、前記領域に前記粘着剤を介して巻き付けられていることを特徴とするタックシールラベラ用のローラ。
【請求項２】
前記保護部材の色が、前記ガイド面と異なることを特徴とする請求項１に記載のローラ。
【請求項３】
前記保護部材の幅が、前記剥離紙の幅と同一であることを特徴とする請求項２に記載のローラ。
【発明の詳細な説明】
【技術分野】
【０００１】
本発明は、ロール状に巻かれた剥離紙を巻き出して、その剥離紙に支持されたタックシールを容器に貼付するタックシールラベラに設けられ、タックシールが貼付された後の剥離紙を巻き掛けてガイドするローラに関する。
【背景技術】
【０００２】
飲料が充填された缶に、商品名、説明書き等の表示や各種キャンペーンを目的とするタックシールを貼付する装置が知られている（例えば、特許文献１参照。）。タックシールを支持する剥離紙はロール状に巻かれており、それを巻き出して缶にタックシールを貼り付ける。タックシール貼付後の剥離紙は、ガイドローラに案内されつつ巻取り装置に巻き取られて回収される。剥離紙にはタックシールの糊が僅かに残留するため、ガイドローラに付着して不具合の原因となる。ローラの汚染を対策する技術として、例えば、紙送りローラに筒状生地を被覆したもの（特許文献２参照。）や、ロール表面にシリコン系の硬質皮膜形成材料と可撓性樹脂とからなる非粘着性防汚層を設けたもの（特許文献３参照。）が知られている。
【特許文献１】特開２００１−２８７７１８号公報
【特許文献２】特開平１１−１３９５８８号公報
【特許文献３】特開昭６１−１０２２４７号公報
【発明の開示】
【発明が解決しようとする課題】
【０００３】
ローラに筒状生地を被覆する場合、筒状なため被覆時や取り外し時に手間がかかる。また、非粘着性防汚層を設ける場合であってもタックシールの糊の付着を完全に防止することは困難であり、糊の付着したローラを洗浄する必要が生じる。
【０００４】
そこで、本発明は簡易な構成で、汚染しても簡便に復元可能なタックシールラベラ用のローラを提供することを目的とする。
【課題を解決するための手段】
【０００５】
本発明のタックシールラベラ用のローラは、ロール状に巻かれた剥離紙（４）を巻き出して前記剥離紙に支持されたタックシール（２）を容器（３）に貼付するタックシールラベラ（１）に設けられ、前記タックシールが貼付された後の剥離紙を巻き掛けてガイドするタックシールラベラ用のローラ（１６ａ〜１６ｇ）であって、前記ローラのガイド面（Ａ）には、前記剥離紙が巻き掛けられる領域（Ｂ）を保護する保護部材（２１）が設けられ、前記保護部材は、一方の面に粘着剤が付着されたシート状で、前記領域に前記粘着剤を介して巻き付けられていることにより上記課題を解決する。
【０００６】
本発明のタックシールラベラ用のローラによれば、剥離紙をガイドするローラに設けられた保護部材が、剥離紙を巻き掛ける領域を保護する。容器にタックシールを貼付した後の剥離紙にはタックシールに付着する糊が残留することがあるが、その糊が保護部材に付着することになる。保護部材はローラに対して粘着剤で貼付されているので、タックシールの糊で汚染された場合には、保護部材を剥がして新たな保護部材を貼付するだけで、ローラを糊が付着していない状態に復元することができる。
【０００７】
本発明のローラの一形態において、前記保護部材の色が、前記ガイド面と異なっていてもよい。この形態によれば、保護部材の色が異なるので、保護部材がローラに剥離紙を巻き掛ける適正位置の目安となる。これにより、タックシールラベラの動作時に、作業者が目視で動作状態が良好か否かを判断することができる。
【０００８】
保護部材とローラのガイド面との色が異なる形態において、前記保護部材の幅が、前記剥離紙の幅と同一であってもよい。この形態によれば、保護部材から剥離紙がずれている場合に作業者がすぐに発見することができ、不具合を未然に防ぐことができる。
【０００９】
なお、以上の説明では本発明の理解を容易にするために添付図面の参照符号を括弧書きにて付記したが、それにより本発明が図示の形態に限定されるものではない。
【発明の効果】
【００１０】
以上、説明したように、本発明のタックシールラベラ用のローラにおいては、剥離紙をガイドするローラに設けられた保護部材が、剥離紙を巻き掛ける領域を保護する。容器にタックシールを貼付した後の剥離紙にはタックシールに付着する糊が残留することがあるが、その糊が保護部材に付着することになる。保護部材はローラに対して粘着剤で貼付されているので、タックシールの糊で汚染された場合には、保護部材を剥がして新たな保護部材を貼付するだけで、ローラを糊が付着していない状態に復元することができる。洗浄作業に比べると糊がローラに残留する可能性がないので、糊の残留による剥離紙の破れや巻取り不良等の不具合が生じない。
【発明を実施するための最良の形態】
【００１１】
図１に本発明の一形態に係るローラが適用されたタックシールラベラの概略図を示す。タックシールラベラ１は、タックシール２を容器３に貼り付ける装置である。タックシール２は裏面に糊が付着した紙やフィルム等からなるシールで、複数のタックシール２が剥離紙４に対して剥離可能に等間隔に支持されている。容器３は、コンベア５によりタックシール２の貼付位置Ｐへと搬送される。容器３は、飲料が充填された缶や壜、ペットボトル等である。コンベア５は、容器３を一列に並べた状態で順次搬送する。コンベア５は周知技術を利用して構成してよい。
【００１２】
タックシールラベラ１は、剥離紙４を巻き出す巻出し装置１１と、コンベア５に向けて突出してタックシール２を容器３に貼付する突出ガイド１２と、容器３に貼付されたタックシール２を押さえつけて固定する押え部材１３と、タックシール２の貼付後の剥離紙４を巻き取る巻取り装置１４と、巻出し装置１１と突出ガイド１２との間に設けられて剥離紙４を案内する複数のガイドローラ１５ａ〜１５ｅと、突出ガイド１２と巻取り装置１４との間に設けられて剥離紙４を案内するローラとしての複数のガイドローラ１６ａ〜１６ｇとを備えている。巻出し装置１１は、ロール状に巻かれた剥離紙４を巻き出す。剥離紙４は、テープ状で一列に並べた状態でタックシール２を保持している。
【００１３】
突出ガイド１２は、先端部分が鋭角に形成されたガイドで、剥離紙４が巻き掛けられている。剥離紙４が突出ガイド１２の先端部分を通過するとき、剥離紙４はタックシール２が剥離紙４の形状に追従できない程度の小さな曲率半径となるまで折り曲げられ、タックシール２は剥離紙４の移動方向に対して前方側から剥離して貼付位置Ｐで容器３の側面に貼付される。押え部材１３は、コンベア５で搬送される容器３の側面に貼付されたタックシール２の表面を押さえつけるように構成される。タックシール２の一部が容器３に付着した不安定な状態であっても、押え部材１３によりタックシール２が押さえつけられて容器２に固定される。
【００１４】
タックシール２の貼付後の剥離紙４は、巻取り装置１４にて巻き取られる。なお、巻出し装置１１及び巻取り装置１４は、周知技術を利用して構成してよい。ガイドローラ１５ａ〜１５ｅは、巻出し装置１１と突出ガイド１２との間に適宜設置され、剥離紙４の張力を調整する。ガイドローラ１６ａ〜１６ｇは、突出ガイド１２と巻取り装置１４との間に適宜設置され、ガイドローラ１５ａ〜１５ｅと同様、剥離紙４の張力を調整する。なお、ガイドローラ１５ａ〜１５ｅ、１６ａ〜１６ｇの本数は装置に応じて適宜増減してよく、また剥離紙４を案内する経路についても適宜変更してよい。
【００１５】
図２にガイドローラ１６ｃ〜１６ｇの拡大斜視図を示す。各ガイドローラ１６ａ〜１６ｇのガイド面Ａには、剥離紙４が巻き掛けられる領域Ｂを保護する保護部材２１がそれぞれ設けられている。保護部材２１は、紙やフィルム等で形成されるシートで、一方の面に粘着剤が付着している。保護部材２１は、ガイドローラの領域Ｂの全面を覆うようにしてガイド面Ａに貼付される。領域Ｂは、剥離紙４がガイド面Ａに巻き掛けられる適正領域で、正常な動作による多少の振れ幅を含んでいてもよい。
【００１６】
ガイドローラ１６ａ〜１６ｇは、突出ガイド１２にて容器３にタックシール２が貼付された後の、タックシール２が保持されていない剥離紙４を案内するローラである。このため、ガイドローラ１６ａ〜１６ｇの領域Ｂには、剥離紙４に残留するタックシール２の糊が付着するおそれがある。ガイドローラ１６ａ〜１６ｇにこの糊が付着すると、ガイドローラ１６ａ〜１６ｇに対する剥離紙４との潤滑性が悪化して、剥離紙５が破れたり、巻取り装置１４の巻取り不良や、タックシール２の貼付不良等の原因となる。保護部材２１を設ければ保護部材２１にタックシール２の糊が付着する。従って、保護部材２１に糊が付着した場合には、その保護部材２１を剥がし領域Ｂに新たな保護部材２１を貼付するだけで、ガイドローラ１６ａ〜１６ｇを糊が付着していない状態に簡便に復元することができる。なお、保護部材２１として、裏面に粘着剤を付着させた市販の紙テープ等を利用することができる。また、ガイドローラ１６ａ〜１６ｇと保護部材２１との色を互いに異ならせてもよい。この場合、保護部材２１が、ガイド面Ａに剥離紙４を巻き掛ける適正位置の目安となり、タックシールラベラ１の動作時に、作業者が目視で動作状態が良好か否かを判断することができる。
【００１７】
本発明は、上述した形態に限定されることなく、種々の形態にて実施することができる。例えば、本形態では、ガイドローラ１６ａ〜１６ｇのガイド面Ａの領域Ｂにそれぞれ保護部材２１を設けたが、ガイド面Ａ全体に保護部材２１を設けてもよい。少なくとも領域Ｂが保護されていればよいため、保護部材２１の幅とガイドローラ１６ａ〜１６ｇの幅とに応じて保護領域を適宜変更してよい。あるいは、保護部材２１の幅が剥離紙４の幅と同一であってもよい。また、本形態では、ガイドローラ１６ａ〜１６ｇの全てのローラに保護部材２１を設けたが、これに限られず、剥離紙４のタックシール保持面が接触するガイドローラ１６ａ、１６ｃ、１６ｄ、１６ｆに設けてもよい。また、ガイドローラ１５ａ〜１５ｅに保護部材２１を設けてもよい。ガイドローラ１５ａ〜１５ｅのガイド面と保護部材２１との色を変更すれば、剥離紙４を巻き掛ける適正位置の目安となるからである。
【図面の簡単な説明】
【００１８】
【図１】本発明の一形態に係るローラが適用されたタックシールラベラの概略図。
【図２】ガイドローラの拡大斜視図。
【符号の説明】
【００１９】
１  タックシールラベラ
２  タックシール
３  容器
４  剥離紙
１６ａ〜１６ｇ  ガイドローラ（ローラ）
２１  保護部材
Ａ  ガイド面
Ｂ  剥離紙が巻き掛けられる領域
【図１】
2010143607.tif 000003
【図２】
2010143607.tif 000004